(57)【要約】      （修正有）【課題】製造要求を満足する組立便利な組立コンセントを提供する。【解決手段】組立底部カバー１０、組立上部カバー６０、複数のスイッチング素子５０、第１導通部材２０、第２導通部材３０および複数の独立挿着部材４０を含む。組立底部カバー１０は、複数の挿入溝１１と収容溝１２を有し、第１導通部材２０は、複数の挿入溝１１に対応し挿設される複数の拡張挿着部材２１を有し、第２導通部材３０は、収容溝１２に配置され、スイッチング素子５０は、複数の独立挿着部材４０のそれぞれ対応し挿入するための止め溝５１を有し、第２導通部材３０に配置され、複数の独立挿着部材４０を第２導通部材３０と電気的に接続させ、組立上部カバー６０は、組立底部カバー１０を覆って組み立てられ、スイッチング素子５０、第１導通部材２０および第２導通部材３０を押さえ固定することにより、組立コンセントを構成することができる。積み重ね式組立であって、治具を使用せず、組立の便利性を増加して使用上のニーズを満足する。【選択図】図４
0003209506.tif 000002
【実用新案登録請求の範囲】
【請求項１】
複数の挿入溝と収容溝を有する組立底部カバーと、
前記複数の挿入溝に対応し挿設される複数の拡張挿着部材を有する第1導通部材と、
前記収容溝に配置される第2導通部材と、
複数の独立挿着部材と、
前記複数の独立挿着部材のそれぞれに対応し挿入するための止め溝を有し、前記第2導通部材に配置され、前記複数の独立挿着部材を第2導通部材と電気的に接続させ、かつそれぞれ複数の拡張挿着部材に対応して設置させるスイッチング素子と、
前記組立底部カバーを覆って組み立てられ、前記スイッチング素子、前記第1導通部材および前記第2導通部材を押さえ固定する組立上部カバーと、
組立底部カバーに挿入される第3導通部材を含むことを特徴とする組立コンセント。
【請求項２】
第3導通部材は、複数の被覆溝をさらに有することを特徴とする請求項１に記載の組立コンセント。
【請求項３】
組立底部カバーは、第3導通部材を止め入れるための止め構造を有する特徴とする請求項１に記載の組立コンセント。
【請求項４】
前記組立上部カバーは、複数の拡張挿着部材、複数の独立挿着部材および第3導通部材に対応する複数のコンセント穴を有することを特徴とする請求項１に記載の組立コンセント。
【請求項５】
前記組立上部カバーと前記組立底部カバーを組み立てると電気コード穴が形成され、前記電気コード穴は電源プラグの取り付けとして用いられ、電源プラグは第1導通部材、第2導通部材および第3導通部材に電気的に接続される第1極電線、第2極電線、電源線を有することを特徴とする請求項１に記載の組立コンセント。
【請求項６】
前記組立上部カバーと前記組立底部カバーを組み立てると光源穴が形成され、前記光源穴は光源の取り付けとして用いられ、前記光源は第1導通部材、第2導通部材に電気的に接続されることを特徴とする請求項１に記載の組立コンセント。
【請求項７】
前記組立上部カバーと前記組立底部カバーは、ねじ止め素子で締結されることを特徴とする請求項１に記載の組立コンセント。
【請求項８】
前記収容溝は、前記スイッチング素子を仕切り位置付けるための位置付けバーを有することを特徴とする請求項１に記載の組立コンセント。
【請求項９】
前記スイッチング素子は、2個から1組になって一体に成型して構成されることを特徴とする請求項１に記載の組立コンセント。
【請求項１０】
前記第1導通部材、前記第2導通部材および前記第3導通部材は、それぞれ横向きに延長する位置付け横板を有することを特徴とする請求項１に記載の組立コンセント。
【考案の詳細な説明】
【技術分野】
【０００１】
本考案は、コンセントに関し、特にコンセントの組立構造に関する。
【背景技術】
【０００２】
図1は従来のコンセントの組合構造図であり、図2は従来のコンセントの分解構造図である。
図1および図2を参照すると、従来のコンセントの内部構造を示す組合図と分解図であり、構造には主取付座1と副取付座2がある。副取付座2は横方向で主取付座1に取り付けられる。
【０００３】
前記主取付座1は、複数のスイッチ3、第1導通部材4および第2導通部材5の取付として用いられ、第1導通部材4と一体となって形成された複数の第1挿着部材6と、複数のスイッチ3に取り付けられた複数の第2挿着部材7を有し、前記複数のスイッチ3は、第2挿着部材7と第2導通部材5が電気的に接続しているかどうかを制御し、組み立てた後に対応している複数の第1挿着部材6と第2挿着部材7は、プラグ（図示せず）の挿入として用いられ、副取付座2は、第3導通部材8の取付として用いられてアースのために用いられる。
【０００４】
従来のコンセントの構造は、組み立てた後にカバー内（図示せず）に取り付けられ、組み立ての際の便利性を増加するため、通常は治具（図示せず）を使用して構造の固定に対して協力し、素子が組み立ての過程で落して分解されることを避ける。従って、この構造では、組み立ての際に治具の使用が必要であり、組立コストの増加になり、生産能力が制限され、生産ラインの増減に弾性的に対応できなく、製造要求を満足することができない。
【考案の概要】
【考案が解決しようとする課題】
【０００５】
本考案は前記従来のコンセントの問題点に鑑みてなされたものであって、本考案の主な目的は、前記の問題を解決し、製造要求を満足する組立便利な組立コンセントを提供することにある。
【課題を解決するための手段】
【０００６】
本考案による組立コンセントは、複数の挿入溝と収容溝を有する組立底部カバーと、前記複数の挿入溝に対応し挿設される複数の拡張挿着部材を有する第1導通部材と、前記収容溝に配置される第2導通部材と、前記複数の独立挿着部材のそれぞれに対応し挿入するための止め溝を有し、前記第2導通部材に配置され、前記複数の独立挿着部材を第2導通部材に電気的に接続させ、かつそれぞれ複数の拡張挿着部材に対応して設置させる複数のスイッチング素子と、前記組立底部カバーを覆って組み立てられ、前記複数のスイッチング素子、前記第1導通部材および前記第2導通部材を押さえ固定する組立上部カバーとを有する。
【考案の効果】
【０００７】
これにより、従来に対する本考案の組立コンセントは、少なくとも以下のような利点がある。
1、本考案では、異なる工法は積み重ねられた組立工程による仕切組立であって、治具を使用せず、組立が簡単で高速になり、製造コストを低減し、組立の便利性を増加して使用上のニーズを満足することを特色とする。
2、組立底部カバーは、組立のマザーボードとして利用され、支持構造を提供し定位点を設置することが可能で、各素子の快速な取付けに便利となり、位置付け用支柱である補助具が必要なく、生産ラインの増減に弾性的に対応でき、短期に対応できる大量の製造要求を満足する。
【図面の簡単な説明】
【０００８】
【図１】従来のコンセントの組合構造図である。
【図２】従来のコンセントの分解構造図である。
【図３】本考案によるコンセントの組合構造図である。
【図４】本考案によるコンセントの分解構造図である。
【考案を実施するための最良の形態】
【０００９】
審査委員が本考案の特徴、目的および効果について理解と認識をより深めるため、好ましい実施例を挙げ図面を参照して説明する。
【００１０】
図3は本考案によるコンセントの組合構造図であり、図4は本考案によるコンセントの分解構造図である。
図3および図4を参照すると、本考案による組立コンセントは、組立底部カバー10、第1導通部材20、第2導通部材30、複数の独立挿着部材40、複数のスイッチング素子50および組立上部カバー60を有する。前記組立底部カバー10は、複数の挿入溝11と収容溝12を有し、前記第1導通部材20は、前記複数の挿入溝11に対応し挿設される複数の拡張挿着部材21を有し、前記第2導通部材30は、前記収容溝12に配置され、前記複数のスイッチング素子50は、前記複数の独立挿着部材40のそれぞれに対応し挿入するための止め溝51を有し、前記第2導通部材30に配置されることにより、前記複数の独立挿着部材40を、第2導通部材に電気的に接続させ、かつそれぞれ複数の拡張挿着部材21に対応して設置させ、組立上部カバー60は、前記組立底部カバー10を覆って組み立てられ、前記複数のスイッチング素子50、前記第1導通部材20および前記第2導通部材30を押さえ固定する。
【００１１】
また、本考案による組立コンセントは、前記組立底部カバー10に配置され、アースとして用いられ、前記組立底部カバー10には固定するための止め構造13がある第3導通部材70をさらに有する。また、組立底部カバー10は、複数の拡張挿着部材21、前記複数の独立挿着部材40および第3導通部材70に対応する複数のコンセント穴61を有する。第3導通部材70は、アースプラグ（図示せず）の挿入として利用可能で、接触面積を増加して、アースの効果を高める複数の被覆溝72を有する。
【００１２】
前記組立上部カバー60と前記組立底部カバー10を組み立てると電気コード穴80が形成され、前記電気コード穴80は電源プラグ90の取り付けとして用いられ、電源プラグ90は、第1導通部材20、第2導通部材30および第3導通部材70に電気的に接続される第1極電線91、第2極電線92、電源線93を有することにより電源を提供する。
【００１３】
また、前記組立上部カバー60と前記組立底部カバー10を組み立てると光源穴81が形成され、前記光源穴81は光源82の取り付けとして用いられ、前記光源82は、第1導通部材20、第2導通部材30に電気的に接続されることにより、すでに電流を通したのかどうかを表示することができる。
【００１４】
前記組立上部カバー60と前記組立底部カバー10はねじ止め素子62で締結されて脱落を避け、前記収容溝12は前記複数のスイッチング素子50を仕切り位置付けるための複数の位置付けバー14を有することにより前記複数のスイッチ素子の位置付け配置に対して協力する。前記複数のスイッチ素子は、2個から1組になって一体に成型して構成され、またはもっと多い個数から1組になって一体に成型して構成されても良く、組立部品の数が減少し、組立の速度を加速することができ、位置付け配置する需要のため、前記第1導通部材20、前記第2導通部材30および前記第3導通部材70は、それぞれ横向きに延長する位置付け横板22、31、71を有する。これらの位置付け横板22、31、71の設置により前記第1導通部材20、前記第2導通部材30および前記第3導通部材70を速やかに位置付けられて、組立のスピードを加速することができる。
【００１５】
以上のように、本考案は従来と比べると、少なくとも以下のような利点がある。
1、本考案では、異なる工法は積み重ねられた組立工程による仕切組立であって、治具を使用せず、組立が簡単で高速になり、製造コストを低減し、組立の便利性を増加して使用上のニーズを満足することを特色とする。
2、組立底部カバーは、組立のマザーボードとして利用され、支持構造を提供し定位点を設置することが可能で、各素子の快速な取付けに便利となり、位置付け用支柱である補助具が必要なく、生産ラインの増減に弾性的に対応でき、短期に対応できる大量の製造要求を満足する。
3、組立底部カバーに挿入溝、収容溝および止め構造を設置することにより、記第1導通部材、前記第2導通部材および前記第3導通部材の固定に対して協力し、位置付け横板の設置で組み立てのスピードを加速する。
4、前記第3導通部材は、複数の被覆溝を有する設計であり、アースプラグの挿入として利用可能で、接触面積を増加して、アースの効果を高める。
【００１６】
以上で述べたものは本考案の好ましい実施例であって、本考案の実施範囲に限られるものではなく、本考案の実用新案登録請求範囲による同等変形と修整は、全て本考案の実用新案登録請求範囲内に属する。
【符号の説明】
【００１７】
従来
1：主取付座
2：副取付座
3：スイッチ
4：第1導通部材
5：第2導通部材
6：第1挿着部材
7：第2挿着部材
8：第3導通部材
本考案
10：組立底部カバー
11：挿入溝
12：収容溝
13：止め構造
14：位置付けバー
20：第1導通部材
21：拡張挿着部材
22：位置付け横板
30：第2導通部材
31：位置付け横板1
40：独立挿着部材
50：スイッチング素子
51：止め溝
60：組立上部カバー
61：コンセント穴
62：ねじ止め素子
70：第3導通部材
71：位置付け横板
72：被覆溝
80：電気コード穴
81：光源穴
82：光源
90：電源プラグ
91：第1極電線
92：第2極電線
93：電源線
【図１】
0003209506.tif 000003
【図２】
0003209506.tif 000004
【図３】
0003209506.tif 000005
【図４】
0003209506.tif 000006